(57)【特許請求の範囲】
【請求項１】
チャネル選択を受け入れることと、
少なくとも１つのモバイルデバイスから、受信デバイスで、前記選択されたチャネルで受信されるコンテンツに関するデータを含むプログラムデータを受信することと、
前記選択されたチャネルにおけるプログラムをレンダリングするための結合信号を形成するよう、前記少なくとも１つのモバイルデバイスから受信された前記プログラムデータを前記受信デバイスによって受信された前記コンテンツと結合することと
を有し、
構内における全ての受信デバイスとの通信を確立することと、
前記選択されたチャネルについての信号品質情報を得るよう前記構内における夫々のモバイルデバイスにポーリングすることと、
前記プログラムデータを受信するよう前記モバイルデバイスから得た前記信号品質情報に基づいて前記モバイルデバイスから少なくとも１つを選択することと
を更に有し、
前記モバイルデバイスから少なくとも１つを前記選択することは、複数の前記受信デバイスの間におけるマスターデバイスになるための優先順位に更に基づいている、方法。
【請求項２】
前記受信デバイスは、テレビ受信機である、
請求項１に記載の方法。
【請求項３】
前記モバイルデバイスは、携帯電話機、ｉＰｈｏｎｅ（登録商標）、ｉＰａｄ（登録商標）、ｉＰｏｄ（登録商標）及びタブレットのうちの１つである、
請求項１に記載の方法。
【請求項４】
前記通信は、ＷｉＦｉ通信チャネル上で確立される、
請求項１に記載の方法。
【請求項５】
受信デバイスであって、
チャネル選択を受け入れるユーザインターフェイスと、
少なくとも１つのモバイルデバイスから、当該受信デバイスで、前記選択されたチャネルで受信されるコンテンツに関するデータを含むプログラムデータを受信する通信インターフェイスと、
前記少なくとも１つのモバイルデバイスから受信された前記プログラムデータを前記選択されたチャネルで当該受信デバイスによって受信された前記コンテンツと結合する結合モジュールと、
前記ユーザインターフェイスと双方向に通信し、構内における全ての受信デバイスとの通信を確立する前記通信インターフェイスと、
前記選択されたチャネルについての信号品質情報を得るよう前記構内における夫々のモバイルデバイスにポーリングする前記通信インターフェイスと、
前記プログラムデータを受信するよう前記モバイルデバイスから得た前記信号品質情報に基づいて前記モバイルデバイスから少なくとも１つを選択するモバイルデバイス選択モジュールと
を有し、
前記モバイルデバイス選択モジュールは、複数の前記受信デバイスの間におけるマスターデバイスになるための優先順位に更に基づいている、受信デバイス。
【請求項６】
当該受信デバイスは、テレビ受信機である、
請求項５に記載の受信デバイス。
【請求項７】
前記モバイルデバイスは、携帯電話機、ｉＰｈｏｎｅ（登録商標）、ｉＰａｄ（登録商標）、ｉＰｏｄ（登録商標）及びタブレットのうちの１つである、
請求項５に記載の受信デバイス。
【請求項８】
前記通信は、ＷｉＦｉ通信チャネル上で確立される、
請求項５に記載の受信デバイス。
【請求項９】
前記信号品質情報に基づき、前記受信デバイスが前記モバイルデバイスよりも良い信号品質を有しているかどうかを最初に判定することと、
前記最初の判定に応答して、前記受信デバイスから前記コンテンツを受信することと、
前記最初の判定に応答して、前記受信デバイスがマスターデバイスであるかどうかを第２に判定することと、
前記第２の判定に応答して、前記コンテンツに関するプログラムデータを受信するよう少なくとも１つのモバイルデバイスを選択することと、
前記受信デバイスの前記選択されたチャネルで受信される前記コンテンツに関する前記プログラムデータを要求することと、
前記受信デバイスで前記信号品質を改善するよう前記少なくとも１つの選択されたモバイルデバイスから前記プログラムデータを受信することと、
前記受信デバイスでのレンダリングのための結合信号を形成するよう、前記受信デバイスからの前記コンテンツを前記少なくとも１つの選択されたモバイルデバイスから受信された前記プログラムデータと結合することと、
前記第２の判定に応答して、前記プログラムデータを受信するよう不使用のモバイルデバイスを選択することと、
前記選択された不使用のモバイルデバイスが前記受信デバイスよりも良い信号品質を有しているかどうかを第３に判定することと、
前記第３の判定に応答して、前記受信デバイスで前記信号品質を改善するよう前記プログラムデータを前記選択された不使用のモバイルデバイスに要求することと、
前記選択されたチャネルで受信される前記コンテンツに関する前記プログラムデータを受信することと、
前記受信デバイスでのレンダリングのための結合信号を形成するよう、前記選択された不使用のモバイルデバイスから受信された前記プログラムデータを前記受信デバイスから受信された前記コンテンツと結合することと
を更に有する、請求項１に記載の方法。
【請求項１０】
前記信号品質情報に基づき、前記受信デバイスが前記モバイルデバイスよりも良い信号品質を有しているかどうかを最初に判定する前記通信インターフェイスと、
前記最初の判定に応答して、前記受信デバイスから前記コンテンツを受信する前記通信インターフェイスと、
前記最初の判定に応答して、前記受信デバイスがマスターデバイスであるかどうかを第２に判定する前記モバイルデバイス選択モジュールと、
前記第２の判定に応答して、前記コンテンツに関するプログラムデータを受信するよう
少なくとも１つのモバイルデバイスを選択する前記モバイルデバイス選択モジュールと、
前記受信デバイスの前記選択されたチャネルで受信される前記コンテンツに関する前記プログラムデータを要求する前記モバイルデバイス選択モジュールと、
前記受信デバイスで前記信号品質を改善するよう前記少なくとも１つの選択されたモバイルデバイスから前記プログラムデータを受信する前記通信インターフェイスと、
前記受信デバイスでのレンダリングのための結合信号を形成するよう、前記受信デバイスからの前記コンテンツを前記少なくとも１つの選択されたモバイルデバイスから受信された前記プログラムデータと結合する結合モジュールと、
前記第２の判定に応答して、前記プログラムデータを受信するよう不使用のモバイルデバイスを選択する前記モバイルデバイス選択モジュールと、
前記選択された不使用のモバイルデバイスが前記受信デバイスよりも良い信号品質を有しているかどうかを第３に判定する前記モバイルデバイス選択モジュールと、
前記第３の判定に応答して、前記受信デバイスで前記信号品質を改善するよう前記プログラムデータを前記選択された不使用のモバイルデバイスに要求する前記通信インターフェイスと、
前記選択されたチャネルで受信される前記コンテンツに関する前記プログラムデータを受信する前記通信インターフェイスと、
前記受信デバイスでのレンダリングのための結合信号を形成するよう、前記選択された不使用のモバイルデバイスから受信された前記プログラムデータを前記受信デバイスから受信された前記コンテンツと結合する前記結合モジュールと
を更に有する、請求項５に記載の受信デバイス。
【発明の詳細な説明】
【技術分野】
【０００１】
本発明は、構内における１つ以上のテレビ受信機（比較的固定されたＡＴＳＣ３．０レシーバ）のための追加のリモートレシーバとして不使用のＡＴＳＣポータブルレシーバを使用する方法に関係がある。
【背景技術】
【０００２】
マルチキャスト及びブロードキャスト用途において、データは、サーバから複数の受信機へ有線及び／又は無線ネットワーク上で送信される。ここで使用されるマルチキャストシステムは、サーバが同じデータを複数の受信機へ同時に送信するシステムであり、受信機は、全ての受信機を含むそれ以下の、全ての受信機のサブセットを形成する。ブロードキャストシステムは、サーバが同じデータを全ての受信機へ同時に送信するシステムである。すなわち、マルチキャストシステムは、定義によれば、ブロードキャストシステムを含むことができる。テレビ受信機（比較的固定されたＡＴＳＣ３．０レシーバ）及びポータブルＡＴＳＣ３．０デバイスは、ブロードキャストコンテンツを受信する能力に加えて、ＷｉＦｉ通信機能を有している。すなわち、テレビ受信機（比較的固定されたＡＴＳＣ３．０レシーバ）及びポータブルＡＴＳＣ３．０デバイスは両方とも、ブロードキャスト信号若しくはマルチキャスト信号を（ＷｉＦｉ接続を介して）又はユニキャスト信号を（同じくＷｉＦｉ接続を介して）受信することによって、コンテンツを受信し得る。
【０００３】
この項目は、以下で記載される本実施形態に関連し得る技術の様々な態様を読者に紹介することを目的とする。この議論は、本開示の様々な態様のより良い理解を助けるよう背景情報を読者に提供するのに役立つと信じられる。然るに、それらの記述は、この観点から読まれるべきことが理解されるべきである。
【発明の概要】
【０００４】
次世代のＴＶ標準は、現在、ＡＴＳＣ３．０として開発されている。この標準の目標のうちの１つは、サービスを、例えば、テレビ受信機のような、比較的固定されたデバイスへ提供するだけでなく、サービスを、例えば、２〜３例を挙げると、携帯電話機並びにタブレットデバイス、ラップトップ及びノートブックコンピュータのような、モバイルデバイスへも提供することである。テレビ受信機とポータブルデバイスとの間の１つの違いは、デバイスが交換される割合である。通常、テレビ受信機は、そのサイズ及び設置要件に起因して、１０〜１５年ごとに交換され得る。他方で、ポータブルデバイスは、１〜２年ごとに交換されることが一般的である。そのようなポータブルデバイスがＡＴＳＣ３．０レシーバを組み込んだ場合に、人々は、彼らがもはや使用しないいくつかの“古い”ポータブルデバイスを有することが一般的になり得る。そのようなレシーバは、一般に、ＷｉＦｉ機能を更に備えるので、それらの使用されていないポータブルＡＴＳＣ３．０レシーバは、家屋内（構内）にある１つ以上のテレビ受信機（比較的固定されたＡＴＳＣ３．０レシーバ）のための受信を改善するためにリモートレシーバとして使用され得る。
【０００５】
比較的固定されたＡＴＳＣ３．０デバイスで信号品質を改善する方法及び装置であって、チャネル選択を受け入れることと、構内における全てのＡＴＳＣ３．０デバイスとの通信を確立することと、信号品質情報を得るよう夫々のポータブルＡＴＳＣ３．０デバイスにポーリングすることと、信号を受信するようポータブルＡＴＳＣ３．０デバイスから１つ以上を選択することと、比較的固定されたＡＴＳＣ３．０デバイスで信号品質を改善するよう、１つ以上の選択されたポータブルＡＴＳＣ３．０デバイスから、選択されたチャネルにおけるプログラムに関するＩＰパケット化データを受信することと、選択されたチャネルにおけるプログラムをレンダリングするための結合信号を形成するよう、１つ以上の選択されたポータブルＡＴＳＣ３．０デバイスから受信されたＩＰパケット化データを、比較的固定されたＡＴＳＣ３．０デバイスの信号と結合することとを含む方法及び装置が記載される。また、比較的固定されたＡＴＳＣ３．０デバイスのための信号品質を改善するためにポータブルＡＴＳＣ３．０デバイスを使用する方法及び装置であって、比較的固定されたＡＴＳＣ３．０デバイスとの通信を確立するための要求を受け取ることと、比較的固定されたＡＴＳＣ３．０デバイスとの通信を確立することと、チャネルの信号品質を測定するための要求を比較的固定されたＡＴＳＣ３．０デバイスから受け取ることと、チャネルの信号品質を測定することと、測定された信号品質を比較的固定されたＡＴＳＣ３．０デバイスへ送ることと、チャネルにおけるプログラムに関するＩＰパケット化データを送るための要求を比較的固定されたＡＴＳＣ３．０デバイスから受け取ることと、チャネルにおけるプログラムに関する要求されたＩＰパケット化データを比較的固定されたＡＴＳＣ３．０デバイスへ送ることとを含む方法及び装置が記載される。
【図面の簡単な説明】
【０００６】
本発明は、添付の図面に関連して読まれる場合に、以下の詳細な説明から最も良く理解される。図面は、以下で簡単に説明される次の図を含む。
【図１】開示される概念の略概要図である。
【図２Ａ】本発明の原理に従って、例となる比較的固定されたＡＴＳＣ３．０デバイスの動作のフローチャートである。
【図２Ｂ】本発明の原理に従って、例となる比較的固定されたＡＴＳＣ３．０デバイスの動作のフローチャートである。
【図３Ａ】本発明の原理に従って、例となるポータブルＡＴＳＣ３．０デバイスの動作のフローチャートである。
【図３Ｂ】ＩＰパケット化データを比較的固定されたＡＴＳＣ３．０デバイスへ供給するよう信号品質測定に基づき選択されている、例となるポータブルＡＴＳＣ３．０デバイスの動作のフローチャートである。
【図４】本発明の原理に従って、例となる比較的固定されたＡＴＳＣ３．０デバイスのブロック図である。  図面は、本開示の概念を説明することを目的とし、必ずしも、本開示を説明するための唯一可能な構成ではないことが理解されるべきである。
【発明を実施するための形態】
【０００７】
本明細書は、本開示の原理を説明する。よって、明らかなように、当業者は、ここで明示的に記載又は図示されていなくとも、本開示の原理を具現化し且つその適用範囲内に含まれる様々な配置を考え付くことができるだろう。
【０００８】
ここで挙げられている全ての例及び条件付き言語は、当該技術の促進に対して本発明者によって寄与される概念及び本開示の原理を読者が理解するのを助ける教育上の目的を意図され、そのような具体的に挙げられている例及び条件に制限されないと解されるべきである。
【０００９】
更に、本開示の原理、対象、及び実施形態、並びにそれらの具体的な例を挙げるここでの全ての記述は、それらの構造上及び機能上両方の同等物を包含するよう意図される。加えて、そのような同等物は、現在知られている同等物及び将来開発される同等物の両方、すなわち、構造にかかわらず、同じ機能を実施するよう開発されたあらゆる要素、を含むことが意図される。
【００１０】
よって、例えば、当業者に明らかなように、ここで提示されるブロック図は、本開示の原理を具現化する実例となる回路の概念図を表す。同様に、明らかなように、あらゆるフローチャート、フロー図、状態遷移図、擬似コード、及び同様のものも、コンピュータ可読媒体において実質的に表現され、故に、コンピュータ又はプロセッサによって、そのようなコンピュータ又はプロセッサが明示的に示されていようとなかろうと、実行され得る様々な目的を表す。
【００１１】
図示される様々な要素の機能は、専用のハードウェア、及び適切なソフトウェアに関連してソフトウェアを実行することが可能なハードウェア、の使用を通じて提供され得る。プロセッサによって提供される場合に、機能は、単一の専用プロセッサによって、単一の共有プロセッサによって、又は一部が共有され得る複数の個別プロセッサによって、提供され得る。更には、語「プロセッサ」又は「コントローラ」の明示的な使用は、制限なしに、デジタル信号プロセッサ（digital  signal  processor）（ＤＳＰ）ハードウェア、ソフトウェアを記憶するためのリードオンリーメモリ（read  only  memory）（ＲＯＭ）、ランダムアクセスメモリ（random  access  memory）（ＲＡＭ）、及び不揮発性ストレージを暗に含み得る。
【００１２】
従来及び／又はカスタムの他のハードウェアも含まれ得る。同様に、図示される如何なるスイッチも、単に概念的である。それらの機能は、プログラムロジックの動作を通じて、専用のロジックを通じて、プログラム制御と専用のロジックとのインタラクションを通じて、又は手動でさえ、実施され得、特定の技術が、文脈からより具体的に理解されるように、実施者によって選択可能である。
【００１３】
本願の特許請求の範囲において、特定の機能を実施する手段として表されている如何なる要素も、例えば、ａ）その機能を実施する回路素子の組み合わせ、又はｂ）あらゆる形をとるソフトウェアであって、従って、機能を実施するようそのソフトウェアを実行する適切な回路と組み合わされるファームウェア、マイクロコード、又は同様のものを含む前記ソフトウェアを含め、その機能を実施する如何なる方法も包含するよう意図される。そのような特許請求の範囲によって定義される開示は、挙げられている様々な手段によって提供される機能が、特許請求の範囲が要求する様態において結合されてまとめられるという事実に存する。よって、それらの機能を提供することができる如何なる手段も、ここで示されているものと等価であると見なされる。
【００１４】
特に、ＡＴＳＣ３．０標準は、比較的固定されたデバイス（家庭用テレビ受信機）に加えて、ポータブルデバイス（携帯電話機、ｉＰｈｏｎｅ（登録商標）、ｉＰａｄ（登録商標）、ｉＰｏｄ（登録商標）、及びタブレット）も対象とする。加えて、ＡＴＳＣ３．０標準は、デバイスがネットワーク接続性を有していることを指定する。これは、互いと通信することができる複数のＡＴＳＣ３．０デバイス（ポータブルデバイス及び比較的固定されたデバイスの両方）が家屋内にある新しい環境をセットアップする。これは、より新しいモデルに取って代わられたことでその主たる機能（例えば、携帯電話機）のためにもはや使用されていないいくつかの古い不使用のＡＴＳＣ３．０ポータブルデバイスが存在し得る状況を生じさせることがある。そのようなポータブルＡＴＳＣ３．０デバイス（レシーバ）は、それらを家屋内で別の場所に置いて、それらにＡＴＳＣ３．０信号を受信させることによって、固定デバイス（比較的固定されたＡＴＳＣ３．０レシーバ）の受信を増強するために使用され得る。ＡＴＳＣ３．０標準は、プログラムデータがＩＰパケットとしてパケット化されることを求める。従って、特定のＡＴＳＣ３．０デバイスによって受信されると、データ（コンテンツ）は、ホームネットワーク上で他のＡＴＳＣ３．０デバイスへ送られ得る。ポータブルデバイスは、次いで、受信されたプログラムを、Ｗｉ−Ｆｉ又は固定Ｅｔｈｅｒｎｅｔ（登録商標）ネットワーク接続を介して、比較的固定されたＡＴＳＣ３．０レシーバへ送ってよい。
【００１５】
より古いポータブルの不使用ＡＴＳＣ対応デバイスを家屋内でテレビ受信機（比較的固定されたＡＴＳＣ３．０レシーバ）のための余分のレシーバとして使用することは、受信を改善することになる。より古い不使用のポータブルＡＴＳＣ３．０レシーバはまた、ＷｉＦｉ機能を有するので、ポータブルＡＴＳＣ３．０デバイスは、家屋中の様々な場所（例えば、屋根裏、窓の近く、など）に設置され得る。より古い不使用のポータブルＡＴＳＣ３．０レシーバは、その場合に、所望のＴＶプログラム（コンテンツ）に関するＩＰパケット化データを供給するよう、ＷｉＦｉを介してテレビ受信機（比較的固定されたＡＴＳＣ３．０レシーバ）と通信し得る。テレビ受信機（比較的固定されたＡＴＳＣ３．０レシーバ）は、１つ以上のより古い不使用のＡＴＳＣ３．０ポータブルデバイスと通信し、ユーザが関心のある特定のチャネルのための最良の信号を有しているデバイスを選択し得る。テレビ受信機（比較的固定されたＡＴＳＣ３．０レシーバ）は、複数のポータブルレシーバから単一チャネルのためのデータを受信し、それらを結合して、より高い品質の信号を生成し得る。家屋内の複数のテレビ受信機（比較的固定されたＡＴＳＣ３．０レシーバ）の場合に、テレビ受信機（比較的固定されたＡＴＳＣ３．０レシーバ）は、最良のサービス（信号）を得るよう他のテレビ受信機（比較的固定されたＡＴＳＣ３．０レシーバ）と協調する必要があり得る。これは、ポータブルデバイスを目下利用しているテレビ受信機（比較的固定されたＡＴＳＣ３．０レシーバ）に、複数のテレビ受信機（比較的固定されたＡＴＳＣ３．０レシーバ）に対して視聴経験を最適化するならば他のポータブルデバイスをオフすることを求め得る。
【００１６】
すなわち、本発明は、いくつかのシナリオを対象とし、よって、いくつかの実施形態を有している。１つのシナリオでは、テレビ受信機（比較的固定されたＡＴＳＣ３．０レシーバ）が様々なポータブルＡＴＳＣ３．０デバイスと通信し、テレビ受信機（比較的固定されたＡＴＳＣ３．０レシーバ）のユーザが受信しようと試みている特定のチャネルのための最良の信号を有しているポータブルＡＴＳＣ３．０デバイスを選択するシステムが存在する。１つのポータブルＡＴＳＣ３．０デバイス又は他は、そのポータブルＡＴＳＣ３．０デバイスがどこに位置しているか（家屋のどの辺りにあるか）に基づき、より良い受信を有し得る。どのポータブルＡＴＳＣ３．０デバイスを使用すべきかの選択は、選択されている特定のチャネルについての測定されたエラーレートに基づいてよい。エラーレート測定は、デジタルレシーバ（例えば、比較的固定されたＡＴＳＣ３．０レシーバ又はポータブルＡＴＳＣ３．０レシーバ）によって容易に実施されるので、ポータブルＡＴＳＣ３．０デバイスにおける追加のハードウェアの必要性は存在しない。テレビ受信機（比較的固定されたＡＴＳＣ３．０レシーバ）が特定のチャネルを受信したい場合に、テレビ受信機（比較的固定されたＡＴＳＣ３．０レシーバ）は、所望のチャネルを示すポータブルＡＴＳＣ３．０デバイスの夫々へのメッセージを送出する。ポータブルＡＴＳＣ３．０デバイスは、その所望のチャネルについてのエラーレートを測定し、エラーレート測定をテレビ受信機（比較的固定されたＡＴＳＣ３．０レシーバ）へ送り返す。テレビ受信機（比較的固定されたＡＴＳＣ３．０レシーバ）は、次いで、最良のポータブルＡＴＳＣ３．０デバイスを選択し、選択されたポータブルＡＴＳＣ３．０デバイスからプログラムを受信し始める。
【００１７】
家屋内に複数のテレビ受信機（比較的固定されたＡＴＳＣ３．０レシーバ）がある場合には、どのポータブルＡＴＳＣ３．０デバイスがどのテレビ受信機（比較的固定されたＡＴＳＣ３．０レシーバ）によって使用されているかに関して、テレビ受信機（比較的固定されたＡＴＳＣ３．０レシーバ）の間の何らかの調整が必要とされる。例えば、１つのテレビ受信機（比較的固定されたＡＴＳＣ３．０レシーバ）が、チャネル６の受信のために既にポータブルＡＴＳＣ３．０デバイスを使用している場合には、第２のテレビ受信機（比較的固定されたＡＴＳＣ３．０レシーバ）は、たとえ第２のテレビ受信機（比較的固定されたＡＴＳＣ３．０レシーバ）のユーザが要求した（望んだ）チャネルのためにこのポータブルＡＴＳＣ３．０デバイスが最良であったとしても、このポータブルＡＴＳＣ３．０デバイスを別のチャネルのためには使用することができない。第２のテレビ受信機（比較的固定されたＡＴＳＣ３．０レシーバ）は、他のポータブルＡＴＳＣ３．０デバイスを使用しなければならいことになる。しかし、特定のテレビ受信機（比較的固定されたＡＴＳＣ３．０レシーバ）が“マスター”テレビ受信機と見なされ、他のテレビ受信機（比較的固定されたＡＴＳＣ３．０レシーバ）の使用にかかわらず“マスター”テレビ受信機が望んだ如何なるポータブルＡＴＳＣ３．０デバイスも使用し得る優先システムが更に存在してよい。
【００１８】
すなわち、単一のテレビ受信機（比較的固定されたＡＴＳＣ３．０レシーバ）が、１つ以上のＷＬＡＮクライアント（ポータブルＡＴＳＣ３．０デバイス）を扱う立場にあってよく、あるいは、複数のテレビ受信機（比較的固定されたＡＴＳＣ３．０レシーバ）が、複数のＷＬＡＮクライアント（ポータブルＡＴＳＣ３．０デバイス）を扱う立場にあってよい。
【００１９】
図１は、開示されている概念の略概要図である。図１は、１つの比較的固定されたＡＴＳＣ３．０デバイス（レシーバ）及び３つのポータブルＡＴＳＣ３．０デバイス（レシーバ）を示す。比較的固定されたＡＴＳＣ３．０レシーバは、ポータブルＡＴＳＣ３．０デバイス（レシーバ）のうちの１つ以上との通信を確立するための要求を送信する。要求は、ポータブルＡＴＳＣ３．０デバイス（レシーバ）の夫々に対してユニキャストであってよく、あるいは、それは、全てのポータブルＡＴＳＣ３．０デバイス（レシーバ）の組に対してマルチキャストであってよく、このとき、ポータブルＡＴＳＣ３．０デバイス（レシーバ）の組は、構内（例えば、家庭、ビジネス、など）におけるポータブルＡＴＳＣ３．０デバイスの組全体であってよい。ポータブルＡＴＳＣ３．０デバイス（レシーバ）の組がポータブルＡＴＳＣ３．０デバイス（レシーバ）の組全体である場合に、マルチキャストは、要求をブロードキャストすることと同等である。通信が確立されると、比較的固定されたＡＴＳＣ３．０デバイス（レシーバ）は、特定のチャネルについての信号品質レポートを要求し得る。比較的固定されたＡＴＳＣ３．０デバイス（レシーバ）は、次いで、指定されたチャネルについての報告された信号品質に基づき、指定されたチャネルにおけるプログラムのためのＩＰパケット化データをどれから受信すべきかに関して、ポータブルＡＴＳＣ３．０デバイス（レシーバ）の中から１つ以上を選択し得る。比較的固定されたＡＴＳＣ３．０デバイス（レシーバ）はまた、比較的固定されたＡＴＳＣ３．０レシーバが最良の信号品質を有しており、比較的固定されたＡＴＳＣ３．０デバイス（レシーバ）が、信号品質を改善するよう、指定されたチャネルにおけるプログラムに関する如何なるＩＰパケット化データも受信する必要がないことを更に決定し得る。
【００２０】
本明細書の全体を通して、ＡＴＳＣ３．０レシーバのうちのいずれかは“オフ”又は“無活動”であってよいと考えられる。“オフ”と“無活動”との間の違いは、無活動デバイスが“オン”でありながらスクリーンセイバーモードにあり得る点である。“オフ”であるデバイスは、“オン”でなくてよいが、依然としてコマンドを受信して“起動”することができる。更には、全てのＡＴＳＣ３．０デバイス（レシーバ）はプラグで接続され及び／又は充電されると考えられる。ここで使用されるように、測定された信号品質は、測定されたエラーレートである。
【００２１】
構内に複数の比較的固定されたＡＴＳＣ３．０レシーバが存在する場合に、それらのうちの１つは、“マスター”の比較的固定されたＡＴＳＣ３．０デバイス（レシーバ）であってよい。この場合に、“マスター”の比較的固定されたＡＴＳＣ３．０デバイス（レシーバ）は、その信号品質を改善するようポータブルＡＴＳＣ３．０レシーバを選択することにおいて優先権を有している。“マスター”が存在しない場合には、いずれの比較的固定されたＡＴＳＣ３．０デバイス（レシーバ）も、その信号品質を改善するために、現在使用されていないポータブルＡＴＳＣ３．０デバイス（レシーバ）のいずれも使用することができる。“マスター”の比較的固定されたＡＴＳＣ３．０デバイス（レシーバ）が存在するが、“マスター”のＡＴＳＣ３．０レシーバが“オン”でないか、又はその信号品質を改善するようポータブルＡＴＳＣ３．０デバイス（レシーバ）のいずれも必要とせず使用していない場合もあり得る。この場合に、他の比較的固定されたＡＴＳＣ３．０デバイス（レシーバ）が“マスター”の比較的固定されたＡＴＳＣ３．０デバイス（レシーバ）になるように、残りの比較的固定されたＡＴＳＣ３．０デバイス（レシーバ）のための優先順位が存在してよい。比較的固定されたＡＴＳＣ３．０レシーバの間に優先順位が存在しない場合には、“マスター”ＡＴＳＣ３．０レシーバが“オン”でないか、又はその信号品質を改善するようポータブルＡＴＳＣ３．０デバイス（レシーバ）のいずれも必要とせず使用していないシナリオは、“マスター”ＡＴＳＣ３．０デバイス（レシーバ）が存在しない場合と同じになる。
【００２２】
図２Ａ及び２Ｂはともに、本発明の原理に従って、例となる比較的固定されたＡＴＳＣ３．０デバイスの動作のフローチャートである。２０５で、比較的固定されたＡＴＳＣ３．０デバイス（レシーバ）は、ユーザからのチャネル選択を受け入れる（受信する）。２１０で、比較的固定されたＡＴＳＣ３．０デバイス（レシーバ）は、１つ以上のＡＴＳＣ３．０デバイス（比較的固定されたデバイス及びポータブルデバイスの両方）との通信を確立するための要求を送信する。この要求は、デバイス（レシーバ）の夫々に対してユニキャストであってよく、あるいは、マルチキャスト（ブロードキャストを含む。）であってよい。通信は、特に、比較的固定されたＡＴＳＣ３．０デバイス（レシーバ）の間に優先権が存在し、どの比較的固定されたＡＴＳＣ３．０デバイス（レシーバ）が信号品質改善のためにどのポータブルＡＴＳＣ３．０デバイス（レシーバ）を使用しているかを決定することが必要である場合に、他の比較的固定されたＡＴＳＣ３．０デバイスと確立される。２１５で、比較的固定されたＡＴＳＣ３．０デバイス（レシーバ）は、それが通信を確立した夫々のポータブルＡＴＳＣ３．０デバイス（レシーバ）にポーリングして、選択されたチャネルについて、夫々のポータブルＡＴＳＣ３．０デバイスで、測定された信号品質を得る。受信された測定された信号品質の値は、データベースに記憶されるか、又は記憶され得る。２２０で、比較的固定されたＡＴＳＣ３．０デバイス（レシーバ）は、比較的固定されたＡＴＳＣ３．０デバイス（レシーバ）がポータブルＡＴＳＣ３．０デバイス（レシーバ）からの測定された信号品質の受信されたレポートの中で最良の信号品質を有しており、従って、その信号品質を改善するようポータブルＡＴＳＣ３．０デバイス（レシーバ）のいずれからも如何なる助け（選択されたチャネルにおけるプログラムに関するＩＰパケット化データ）も必要としないかどうかを判定するよう試験を実施する。比較的固定されたＡＴＳＣ３．０デバイス（レシーバ）が、ポータブルＡＴＳＣ３．０デバイス（レシーバ）からの測定された信号品質の受信されたレポートの中で最良の信号品質を有しており、従って、その信号品質を改善するようポータブルＡＴＳＣ３．０デバイス（レシーバ）のいずれからも如何なる助け（選択されたチャネルにおけるプログラムに関するＩＰパケット化データ）も必要としない場合には、処理は終了する。比較的固定されたＡＴＳＣ３．０デバイス（レシーバ）が、ポータブルＡＴＳＣ３．０デバイス（レシーバ）からの測定された信号品質の受信されたレポートの中で最良の信号品質を有さず、従って、その信号品質を改善するようポータブルＡＴＳＣ３．０デバイス（レシーバ）のいずれかから助け（選択されたチャネルにおけるプログラムに関するＩＰパケット化データ）を必要とする場合には、２２５で、この比較的固定されたＡＴＳＣ３．０デバイス（レシーバ）が“マスター”の比較的固定されたＡＴＳＣ３．０デバイス（レシーバ）であるかどうかを判定するよう試験が実施される。この比較的固定されたＡＴＳＣ３．０デバイス（レシーバ）が“マスター”の比較的固定されたＡＴＳＣ３．０デバイス（レシーバ）である場合には、２３０で、この比較的固定されたＡＴＳＣ３．０デバイス（レシーバ）は、その信号品質を改善するよう、選択されたチャネルにおけるプログラムに関するＩＰパケット化データをどれから受信すべきかに関して、ポータブルＡＴＳＣ３．０デバイス（レシーバ）の中から１つ以上を選択する。夫々の比較的固定されたＡＴＳＣ３．０デバイスは、比較的固定されたＡＴＳＣ３．０デバイス（レシーバ）及びポータブルＡＴＳＣ３．０デバイス（レシーバ）、並びにどのポータブルＡＴＳＣ３．０デバイス（レシーバ）がどの比較的固定されたＡＴＳＣ３．０デバイス（レシーバ）によって使用されているかのデータベースを保持する。次いで、処理は終了する。この比較的固定されたＡＴＳＣ３．０デバイス（レシーバ）が“マスター”の比較的固定されたＡＴＳＣ３．０デバイス（レシーバ）でない場合には、２３５で、この比較的固定されたＡＴＳＣ３．０デバイス（レシーバ）は、その信号品質を改善するよう、選択されたチャネルにおけるプログラムに関するＩＰパケット化データをどれから受信すべきかに関して、１つ以上の使用されていないポータブルＡＴＳＣ３．０デバイス（レシーバ）を選択する。夫々の比較的固定されたＡＴＳＣ３．０デバイスは、比較的固定されたＡＴＳＣ３．０デバイス（レシーバ）及びポータブルＡＴＳＣ３．０デバイス（レシーバ）、並びにどのポータブルＡＴＳＣ３．０デバイス（レシーバ）がどの比較的固定されたＡＴＳＣ３．０デバイス（レシーバ）によって使用されているかのデータベースを保持する。２４０で、選択された１つ以上のポータブルＡＴＳＣ３．０デバイス（レシーバ）がこの比較的固定されたＡＴＳＣ３．０デバイス（レシーバ）よりも良い信号品質を提供するかどうかを判定するよう試験が実施される。１つ以上の選択されたポータブルＡＴＳＣ３．０デバイス（レシーバ）がより良い信号品質を提供する場合には、２５０で、選択されたポータブルＡＴＳＣ３．０デバイス（レシーバ）は、このレシーバの信号品質を改善するために使用され得る。１つのポータブルＡＴＳＣ３．０デバイスは信号品質を改善しないが、全ての不使用の選択されたポータブルＡＴＳＣ３．０デバイス（レシーバ）又は全ての選択されたポータブルＡＴＳＣ３．０デバイス（レシーバ）の組が信号品質を改善すると決定されることがある。比較的固定されたＡＴＳＣ３．０デバイス（レシーバ）は、比較的固定されたＡＴＳＣ３．０デバイス（レシーバ）のユーザへ提供される信号品質を改善するよう、１つ以上の選択されたポータブルＡＴＳＣ３．０デバイス（レシーバ）から受信されたＩＰパケット化データをあらゆるブロードキャストと結合する。１つ以上の選択されたポータブルＡＴＳＣ３．０デバイス（レシーバ）がより良い信号品質を提供しない場合には、２４５で、この比較的固定されたＡＴＳＣ３．０デバイス（レシーバ）を使用する。ポータブルＡＴＳＣ３．０デバイス（レシーバ）から受信された信号は、選択されたチャネルにおけるプログラムのためのＩＰパケット化データの形をとる。１つ以上のポータブルＡＴＳＣ３．０デバイス（レシーバ）が信号を受信するために使用される場合に、ＩＰパケット化データは、レンダリングのための結合信号を形成するよう、比較的固定されたＡＴＳＣ３．０デバイス（テレビ受信機）によって受信された信号と結合される。
【００２３】
図３Ａは、本発明の原理に従って、例となるポータブルＡＴＳＣ３．０デバイスの動作のフローチャートである。３０５で、ポータブルＡＴＳＣ３．０デバイス（レシーバ）は、比較的固定されたＡＴＳＣ３．０デバイス（レシーバ）との通信を確立するための要求を受信する。３１０で、ポータブルＡＴＳＣ３．０デバイス（レシーバ）は、通信を確立することを要求した比較的固定されたＡＴＳＣ３．０デバイス（レシーバ）との通信を確立する。３１５で、ポータブルＡＴＳＣ３．０デバイス（レシーバ）は、特定のチャネル（比較的固定されたＡＴＳＣ３．０デバイス（レシーバ）によって選択されているチャネル）の信号品質（エラーレート）を測定するための要求を受信する。３２０で、ポータブルＡＴＳＣ３．０デバイス（レシーバ）は、選択されたチャネルにおける信号品質を測定する。３２５で、ポータブルＡＴＳＣ３．０デバイス（レシーバ）は、測定された信号品質を、信号品質測定を要求した比較的固定されたＡＴＳＣ３．０デバイス（レシーバ）へ送信する。
【００２４】
図３Ｂは、比較的固定されたＡＴＳＣ３．０デバイスへＩＰパケット化データを供給するよう信号品質測定に基づき選択された、例となるポータブルＡＴＳＣ３．０デバイスの動作のフローチャートである。３３０で、選択されたポータブルＡＴＳＣ３．０デバイスは、選択された（指定された）チャネルにおけるプログラムに関するＩＰパケット化データを供給するための要求を受信する。３３５で、ポータブルＡＴＳＣ３．０デバイス（レシーバ）は、選択された（指定された）チャネルにおけるプログラムに関するＩＰパケット化データを供給（送信、送出、転送）する。
【００２５】
図４は、本発明の原理に従って、例となる比較的固定されたＡＴＳＣ３．０デバイスのブロック図である。図４の比較的固定されたＡＴＳＣ３．０デバイスは、チャネル選択情報を受け取るようユーザインターフェイスを有している。図４の比較的固定されたＡＴＳＣ３．０デバイスは、通信インターフェイスを更に有している。通信インターフェイスは、少なくとも１つを有し、いくつかのアンテナを有してよい。１つのアンテナは、ＷｉＦｉ通信用であってよく、１つのアンテナはブロードキャスト受信用であってよい。更なるアンテナが存在してよい。空間ダイバーシティのために複数のアンテナを使用することは珍しくない。通信インターフェイスは、他の比較的固定されたＡＴＳＣ３．０デバイス（レシーバ）との且つポータブルＡＴＳＣ３．０デバイス（レシーバ）とのＷｉＦｉ通信を確立する。通信インターフェイスはまた、選択されたチャネルについて夫々のポータブルＡＴＳＣ３．０デバイス（レシーバ）で信号品質（エラーレート）を得るよう、ポータブルＡＴＳＣ３．０デバイス（レシーバ）にポーリングする。比較的固定されたＡＴＳＣ３．０デバイス（レシーバ）は、ポータブルＡＴＳＣ３．０選択モジュールを更に含む。このモジュールは、通信インターフェイスから信号品質情報を受け取り、受け取られた信号品質情報をデータベースに格納し得る。ポータブルＡＴＳＣ３．０選択モジュールは、比較的固定されたＡＴＳＣ３．０デバイス（レシーバ）の信号品質を改善するためにどの１つ以上のポータブルＡＴＳＣ３．０デバイス（レシーバ）を使用すべきかを決定する。この決定は、ポータブルＡＴＳＣ３．０デバイス（レシーバ）から受信された測定された信号品質（エラーレート）情報にだけでなく、それらの可用性及び比較的固定されたＡＴＳＣ３．０デバイス（レシーバ）の状態にも基づく。状態は、比較的固定されたＡＴＳＣ３．０デバイス（レシーバ）が“マスター”テレビ受信機であるか否か、及び１つ以上の選択されたポータブルＡＴＳＣ３．０デバイス（レシーバ）のうちのいずれかが他の比較的固定されたＡＴＳＣ３．０デバイス（レシーバ）によって既に使用中であるかどうかを含む。１つ以上の選択されたポータブルＡＴＳＣ３．０デバイス（レシーバ）のうちのいずれかが利用可能である場合に、選択されたチャネルにおけるプログラムに関するＩＰパケット化データは、１つ以上のポータブルＡＴＳＣ３．０デバイス（レシーバ）から通信インターフェイスによって受信され、結合モジュールへ転送される。結合モジュールは、信号品質を改善するよう、１つ以上のポータブルＡＴＳＣ３．０デバイス（レシーバ）からの選択されたチャネルにおけるプログラムに関する受信されたＩＰパケット化データをブロードキャストコンテンツと結合する。ブロードキャストコンテンツと選択されたチャネルにおけるプログラムに関するＩＰパケット化データとの結合は、積分、インターリービング、スプライシング、などによって達成され得る。結合信号（ブロードキャスト及びＩＰパケット化データ）は、次いで、比較的固定されたＡＴＳＣ３．０デバイス（レシーバ）の表示部へ供給される。比較的固定されたＡＴＳＣ３．０デバイス（レシーバ）の表示部は、ユーザインターフェイスによってアクセスされる。ユーザインターフェイスは、比較的固定されたＡＴＳＣ３．０デバイス（レシーバ）のリモートコントロールデバイス及びディスプレイを通じてユーザと双方向に通信する。通信インターフェイスは、ポータブルＡＴＳＣ３．０選択モジュールと双方向に通信し、ポータブルＡＴＳＣ３．０選択モジュールは、記憶（メモリ）モジュールと双方向に通信する。ユーザインターフェイスはまた、通信インターフェイスと双方向に通信する。通信モジュールは、結合モジュールと通信し、結合モジュールは、ユーザインターフェイスと通信する。
【００２６】
ポータブルＡＴＳＣ３．０デバイス（レシーバ）は、１つ以上のアンテナを使用し得る少なくとも１つの通信インターフェイスを含む。１つのアンテナはＷｉＦｉ通信用であってよく、１つのアンテナはブロードキャスト受信用であってよい。更なるアンテナが存在してよい。空間ダイバーシティのために複数のアンテナを使用することは珍しくない。通信インターフェイスは、１つ以上の比較的固定されたＡＴＳＣ３．０デバイス（レシーバ）との通信を確立するための要求を受け取り、要求されたように通信を確立する。通信インターフェイスはまた、選択されたチャネルの信号品質（エラーレート）を測定するための要求を受け取り、要求されたように信号品質を測定する。通信インターフェイスはまた、測定された信号品質を、要求元の比較的固定されたＡＴＳＣ３．０デバイス（レシーバ）へ送る。通信インターフェイスはまた、選択されたチャネルにおけるプログラムについてそれが受信するＩＰパケット化データを、比較的固定されたＡＴＳＣ３．０デバイス（レシーバ）へ供給（送出、送信、転送）するための要求を受け取り、通信インターフェイスは、それが受信する要求されたＩＰパケット化データを、要求元の比較的固定されたＡＴＳＣ３．０デバイス（レシーバ）へ送信（転送、送出、供給）する。通信インターフェイスはまた、ストレージ（メモリ）と双方向に通信し、データを一時的に記憶するためにストレージ（メモリ）を使用し得る。
【００２７】
本発明は、様々な形態のハードウェア、ソフトウェア、ファームウェア、特別目的のプロセッサ、又はそれらの組み合わせにおいて実装され得ることが理解されるべきである。特別目的のプロセッサは、特定用途向け集積回路（application  specific  integrated  circuits）（ＡＳＩＣ）、縮小命令セットコンピュータ（reduced  instruction  set  computers）（ＲＩＳＣ）、及び／又はフィールドプログラマブルゲートアレイ（field  programmable  gate  arrays）（ＦＰＧＡ）を含み得る。望ましくは、本発明は、ハードウェアとソフトウェアとの組み合わせにおいて実装される。更には、ソフトウェアは、望ましくは、プログラム記憶デバイスにおいて有形に具現化されるアプリケーションプログラムとして実装される。アプリケーションプログラムは、如何なる適切なアーキテクチャも有するマシンにアップロードされ、そのマシンによって実行され得る。望ましくは、マシンは、例えば、１つ以上の中央演算処理装置（central  processing  units）（ＣＰＵ）、ランダムアクセスメモリ（random  access  memory）（ＲＡＭ）、及び入出力（input/output）（Ｉ／Ｏ）インターフェイスのような、ハードウェアを有しているコンピュータプラットフォーム上で実装される。コンピュータプラットフォームはまた、オペレーティングシステム及びマイクロ命令コードを含む。ここで記載される様々なプロセス及び機能は、オペレーティングシステムを介して実行されるマイクロ命令コードの部分又はアプリケーションプログラムの部分（あるいは、それらの組み合わせ）のいずれかであり得る。加えて、例えば、追加のデータ記憶デバイス及び印刷機のような、様々な他の周辺機器がコンピュータプラットフォームへ接続され得る。
【００２８】
図示される要素は、様々な形態のハードウェア、ソフトウェア、又はそれらの組み合わせにおいて実装され得ることが理解されるべきである。望ましくは、それらの要素は、プロセッサ、メモリ及び入出力インターフェイスを含み得る１つ以上の適切にプログラムされた汎用デバイス上でハードウェアとソフトウェアとの組み合わせにおいて実装される。ここで、「結合される」との語句は、直接に接続されること、又は１つ以上の中間コンポーネントを通じて間接的に接続されること、を意味すると定義される。そのような中間コンポーネントは、ハードウェア及びソフトウェアの両方に基づくコンポーネントを含み得る。
【００２９】
添付の図に表されている、構成するシステムコンポーネント及び方法ステップは、望ましくは、ソフトウェアにおいて実装されるので、システムコンポーネント（又はプロセスステップ）間の実際の接続は、本発明がプログラムされる様態に応じて様々であり得ることが更に理解されるべきである。本願における教示を鑑み、当業者は、本発明のそれら及び同様の実装又は構成を考えることができる。  
上記の実施形態に加えて、以下の付記を開示する。
（付記１）
比較的固定されたＡＴＳＣ３．０デバイスにおいて信号品質を改善する方法であって、
チャネル選択を受け入れることと、
構内における全てのＡＴＳＣ３．０デバイスとの通信を確立することと、
信号品質情報を得るよう夫々のポータブルＡＴＳＣ３．０デバイスにポーリングすることと、
信号を受信するよう前記ポータブルＡＴＳＣ３．０デバイスのうちの１つ以上を選択することと、
前記比較的固定されたＡＴＳＣ３．０デバイスで信号品質を改善するよう、前記１つ以上の選択されたポータブルＡＴＳＣ３．０デバイスから、前記選択されたチャネルにおけるプログラムに関するＩＰパケット化データを受信することと、
前記選択されたチャネルにおけるプログラムをレンダリングするための結合信号を形成するよう、前記１つ以上の選択されたポータブルＡＴＳＣ３．０デバイスから受信された前記受信されたＩＰパケット化データを前記比較的固定されたＡＴＳＣ３．０デバイスの信号と結合することと
を有する方法。
（付記２）
比較的固定されたＡＴＳＣ３．０デバイスにおいて信号品質を改善する方法であって、
チャネル選択を受け入れることと、
構内における全てのＡＴＳＣ３．０デバイスとの通信を確立することと、
前記選択されたチャネルについての信号品質情報を得るよう夫々のポータブルＡＴＳＣ３．０デバイスにポーリングすることと、
前記信号品質情報に基づき、前記比較的固定されたＡＴＳＣ３．０デバイスが前記ポータブルＡＴＳＣ３．０デバイスよりも良い信号品質を有しているかどうかを最初に判定することと、
前記最初の判定に応答して、前記比較的固定されたＡＴＳＣ３．０デバイスから信号を受信することと、
前記第１の判定に応答して、前記比較的固定されたＡＴＳＣ３．０デバイスがマスターＡＴＳＣ３．０デバイスであるかどうかを第２に判定することと、
前記第２の判定に応答して、信号を受信するよう前記ポータブルＡＴＳＣ３．０デバイスから１つを選択することと、
前記選択されたチャネルにおけるプログラムに関するＩＰパケット化データを要求することと、
前記比較的固定されたＡＴＳＣ３．０デバイスで信号品質を改善するよう、前記１つの選択されたポータブルＡＴＳＣ３．０デバイスから、前記ＩＰパケット化データを受信することと、
レンダリングのための結合信号を形成するよう、前記選択されたポータブルＡＴＳＣ３．０デバイスから受信された前記ＩＰパケット化データを前記比較的固定されたＡＴＳＣ３．０デバイスからの前記信号と結合することと、
前記第２の判定に応答して、前記信号を受信するよう不使用のポータブルＡＴＳＣ３．０デバイスを選択することと、
前記選択されたチャネルにおける前記プログラムに関するＩＰパケット化データを要求することと、
前記選択された不使用のポータブルＡＴＳＣ３．０デバイスが前記比較的固定されたＡＴＳＣ３．０デバイスよりも良い信号品質を有しているかどうかを第３に判定することと、
前記第３の判定に応答して、前記比較的固定されたＡＴＳＣ３．０デバイスで信号品質を改善するよう、前記選択された不使用のポータブルＡＴＳＣ３．０デバイスから前記ＩＰパケット化データを受信することと、
前記選択されたチャネルにおける前記プログラムに関するＩＰパケット化データを要求することと、
レンダリングのための結合信号を形成するよう、前記選択された不使用のポータブルＡＴＳＣ３．０デバイスから受信された前記ＩＰパケット化データを前記比較的固定されたＡＴＳＣ３．０デバイスからの前記信号と結合することと
を有する方法。
（付記３）
前記比較的固定されたＡＴＳＣ３．０デバイスは、テレビ受信機である、
付記２に記載の方法。
（付記４）
前記ポータブルＡＴＳＣ３．０デバイスは、携帯電話機、ｉＰｈｏｎｅ（登録商標）、ｉＰａｄ（登録商標）、ｉＰｏｄ（登録商標）及びタブレットのうちの１つである、
付記２に記載の方法。
（付記５）
前記通信は、ＷｉＦｉ通信チャネル上で確立される、
付記２に記載の方法。
（付記６）
比較的固定されたＡＴＳＣ３．０デバイスのための信号品質を改善するようポータブルＡＴＳＣ３．０デバイスを使用する方法であって、
前記比較的固定されたＡＴＳＣ３．０デバイスとの通信を確立するための要求を受け取ることと、
前記比較的固定されたＡＴＳＣ３．０デバイスとの通信を確立することと、
チャネルの信号品質を測定するための要求を前記比較的固定されたＡＴＳＣ３．０デバイスから受け取ることと、
前記チャネルの信号品質を測定することと、
前記測定された信号品質を前記比較的固定されたＡＴＳＣ３．０デバイスへ送ることと、
前記チャネルにおけるプログラムに関するＩＰパケット化データを送るための要求を前記比較的固定されたＡＴＳＣ３．０デバイスから受け取ることと、
前記チャネルにおける前記プログラムに関する前記要求されたＩＰパケット化データを前記比較的固定されたＡＴＳＣ３．０デバイスへ送ることと
を有する方法。
（付記７）
前記比較的固定されたＡＴＳＣ３．０デバイスは、テレビ受信機である、
付記６に記載の方法。
（付記８）
前記ポータブルＡＴＳＣ３．０デバイスは、携帯電話機、ｉＰｈｏｎｅ（登録商標）、ｉＰａｄ（登録商標）、ｉＰｏｄ（登録商標）及びタブレットのうちの１つである、
付記６に記載の方法。
（付記９）
前記通信は、ＷｉＦｉ通信チャネル上で確立される、
付記６に記載の方法。
（付記１０）
比較的固定されたＡＴＳＣ３．０デバイスであって、
チャネル選択を受け入れるユーザインターフェイスと、
前記ユーザインターフェイスと双方向に通信する通信インターフェイスであり、構内における全てのＡＴＳＣ３．０デバイスとの通信を確立する前記通信インターフェイスと、
信号品質情報を得るよう、夫々のポータブルＡＴＳＣ３．０デバイスにポーリングする前記通信インターフェイスと、
前記通信インターフェイスと双方向に通信するポータブルＡＴＳＣ３．０選択モジュールであり、信号を受信するよう前記ポータブルＡＴＳＣ３．０デバイスのうちの１つ以上を選択する前記ポータブルＡＴＳＣ３．０選択モジュールと、
前記比較的固定されたＡＴＳＣ３．０デバイスで信号品質を改善するよう、前記１つ以上の選択されたポータブルＡＴＳＣ３．０デバイスから、前記選択されたチャネルにおけるプログラムに関するＩＰパケット化データを受信する前記通信インターフェイスと、
前記選択されたチャネルにおけるプログラムをレンダリングするために結合信号を形成するよう、前記１つ以上の選択されたポータブルＡＴＳＣ３．０デバイスから受信された前記受信されたＩＰパケット化データを前記比較的固定されたＡＴＳＣ３．０デバイスの信号と結合する結合モジュールと
を有する比較的固定されたＡＴＳＣ３．０デバイス。
（付記１１）
比較的固定されたＡＴＳＣ３．０デバイスであって、
チャネル選択を受け入れるユーザインターフェイスと、
前記ユーザインターフェイスと双方向に通信する通信インターフェイスであり、構内における全てのＡＴＳＣ３．０デバイスとの通信を確立する前記通信インターフェイスと、
前記選択されたチャネルについての信号品質情報を得るよう夫々のポータブルＡＴＳＣ３．０デバイスにポーリングする前記通信インターフェイスと、
前記通信インターフェイスと双方向に通信するポータブルＡＴＳＣ３．０選択モジュールであり、前記比較的固定されたＡＴＳＣ３．０デバイスが前記ポータブルＡＴＳＣ３．０デバイスよりも良い信号品質を有しているかどうかを最初に判定する前記ポータブルＡＴＳＣ３．０選択モジュールと、
前記最初の判定に応答して、前記比較的固定されたＡＴＳＣ３．０デバイスから信号を受信する前記通信インターフェイスと、
前記第１の判定に応答して、前記比較的固定されたＡＴＳＣ３．０デバイスがマスターＡＴＳＣ３．０デバイスであるかどうかを第２に判定する前記ポータブルＡＴＳＣ３．０選択モジュールと、
前記第２の判定に応答して、信号を受信するよう前記ポータブルＡＴＳＣ３．０デバイスから１つを選択する前記ポータブルＡＴＳＣ３．０選択モジュールと、
前記選択されたチャネルにおけるプログラムに関するＩＰパケット化データを要求する前記ポータブルＡＴＳＣ３．０選択モジュールと、
前記比較的固定されたＡＴＳＣ３．０デバイスで信号品質を改善するよう、前記１つの選択されたポータブルＡＴＳＣ３．０デバイスから、前記ＩＰパケット化データを受信する前記通信インターフェイスと、
前記通信インターフェイスと通信し、更には前記ユーザインターフェイスと通信する結合モジュールであり、レンダリングのための結合信号を形成するよう、前記選択されたポータブルＡＴＳＣ３．０デバイスから受信された前記ＩＰパケット化データを前記比較的固定されたＡＴＳＣ３．０デバイスからの前記信号と結合する前記結合モジュールと、
前記第２の判定に応答して、前記信号を受信するよう不使用のポータブルＡＴＳＣ３．０デバイスを選択する前記ポータブルＡＴＳＣ３．０選択モジュールと、
前記選択されたチャネルにおける前記プログラムに関するＩＰパケット化データを要求する前記ポータブルＡＴＳＣ３．０選択モジュールと、
前記選択された不使用のポータブルＡＴＳＣ３．０デバイスが前記比較的固定されたＡＴＳＣ３．０デバイスよりも良い信号品質を有しているかどうかを第３に判定する前記ポータブルＡＴＳＣ３．０選択モジュールと、
前記第３の判定に応答して、前記比較的固定されたＡＴＳＣ３．０デバイスで信号品質を改善するよう、前記選択された不使用のポータブルＡＴＳＣ３．０デバイスから前記ＩＰパケット化データを受信する前記通信インターフェイスと、
前記選択されたチャネルにおける前記プログラムに関するＩＰパケット化データを要求する前記ポータブルＡＴＳＣ３．０選択モジュールと、
レンダリングのための結合信号を形成するよう、前記選択された不使用のポータブルＡＴＳＣ３．０デバイスから受信された前記ＩＰパケット化データを前記比較的固定されたＡＴＳＣ３．０デバイスからの前記信号と結合する前記結合モジュールと
を有する比較的固定されたＡＴＳＣ３．０デバイス。
（付記１２）
当該比較的固定されたＡＴＳＣ３．０デバイスは、テレビ受信機である、
付記１１に記載の比較的固定されたＡＴＳＣ３．０デバイス。
（付記１３）
前記ポータブルＡＴＳＣ３．０デバイスは、携帯電話機、ｉＰｈｏｎｅ（登録商標）、ｉＰａｄ（登録商標）、ｉＰｏｄ（登録商標）及びタブレットのうちの１つである、
付記１１に記載の比較的固定されたＡＴＳＣ３．０デバイス。
（付記１４）
前記通信は、ＷｉＦｉ通信チャネル上で確立される、
付記１１に記載の比較的固定されたＡＴＳＣ３．０デバイス。
（付記１５）
比較的固定されたＡＴＳＣ３．０デバイスのための信号品質を改善するポータブルＡＴＳＣ３．０デバイスであって、
前記比較的固定されたＡＴＳＣ３．０デバイスとの通信を確立するための要求を受け取る通信インターフェイスと、
前記比較的固定されたＡＴＳＣ３．０デバイスとの通信を確立する前記通信インターフェイスと、
チャネルの信号品質を測定するための要求を前記比較的固定されたＡＴＳＣ３．０デバイスから受け取る前記通信インターフェイスと、
前記チャネルの信号品質を測定することと、
前記チャネルにおけるプログラムに関するＩＰパケット化データを送るための要求を前記比較的固定されたＡＴＳＣ３．０デバイスから受け取る前記通信インターフェイスと、
前記チャネルにおける前記プログラムに関する前記要求されたＩＰパケット化データを前記比較的固定されたＡＴＳＣ３．０デバイスへ送る前記通信インターフェイスと
を有するポータブルＡＴＳＣ３．０デバイス。
（付記１６）
前記比較的固定されたＡＴＳＣ３．０デバイスは、テレビ受信機である、
付記１５に記載のポータブルＡＴＳＣ３．０デバイス。
（付記１７）
当該ポータブルＡＴＳＣ３．０デバイスは、携帯電話機、ｉＰｈｏｎｅ（登録商標）、ｉＰａｄ（登録商標）、ｉＰｏｄ（登録商標）及びタブレットのうちの１つである、
付記１５に記載のポータブルＡＴＳＣ３．０デバイス。
（付記１８）
前記通信は、ＷｉＦｉ通信チャネル上で確立される、
付記１５に記載のポータブルＡＴＳＣ３．０デバイス。
【図１】
0006989381.tif 000002
【図２Ａ】
0006989381.tif 000003
【図２Ｂ】
0006989381.tif 000004
【図３Ａ】
0006989381.tif 000005
【図３Ｂ】
0006989381.tif 000006
【図４】
0006989381.tif 000007